(57)【要約】【課題】測定中においても、リアルタイム演算の開始時期や演算項目等を任意かつ容易に変更できるようにする。【解決手段】測定データのリアルタイム演算中に操作部より演算中断（５６ａ）の指示が出されると、リアルタイム演算を中断して表示画面（５０ａ）の一部分に演算項目選択メニュー（５７）を表示し、操作部により演算項目選択メニュー（５７）の中から所定の演算項目が選択されたのち演算再開の指示（５６ｂ）が出されると、選択された演算項目について、メモリ上の所定の測定データ位置から上記リアルタイム演算を再開する。【選択図】図３
2011112476.tif 000002
【特許請求の範囲】
【請求項１】
被測定信号が入力されるＡ／Ｄ変換器を有する入力部と、上記入力部でＡ／Ｄ変換された上記被測定信号の測定データが記憶されるメモリと、表示画面を有する表示手段と、上記メモリに対する上記測定データの書き込み／読み出しおよび上記表示手段を制御する演算機能を有する制御手段と、上記制御手段に所定の指示を与える操作部とを備え、上記制御手段は、上記操作部により指示された所定の演算項目について上記測定データを順次リアルタイム演算しながら、その演算値を上記被測定信号の波形とともに上記表示画面に表示する実時間波形記録計において、
上記制御手段は、上記測定データのリアルタイム演算中に上記操作部より演算中断の指示が出されると、上記リアルタイム演算を中断してそれまでの演算結果をクリアし、上記操作部より演算再開の指示が出されると、上記メモリ上の所定の測定データ位置から上記リアルタイム演算を再開することを特徴とする実時間波形記録計。
【請求項２】
上記操作部にて、上記リアルタイム演算が再開される上記測定データ位置を上記演算中断時点もしくは上記演算再開時点のいずれかから選択できることを特徴とする請求項１に記載の実時間波形記録計。
【請求項３】
被測定信号が入力されるＡ／Ｄ変換器を有する入力部と、上記入力部でＡ／Ｄ変換された上記被測定信号の測定データが記憶されるメモリと、表示画面を有する表示手段と、上記メモリに対する上記測定データの書き込み／読み出しおよび上記表示手段を制御する演算機能を有する制御手段と、上記制御手段に所定の指示を与える操作部とを備え、上記制御手段は、上記操作部により指示された所定の演算項目について上記測定データを順次リアルタイム演算しながら、その演算値を上記被測定信号の波形とともに上記表示画面に表示する実時間波形記録計において、
上記制御手段は、上記測定データのリアルタイム演算中に上記操作部より演算中断の指示が出されると、上記リアルタイム演算を中断して上記表示画面の一部分に演算項目選択メニューを表示し、上記操作部により上記演算項目選択メニューの中から所定の演算項目が選択されたのち演算再開の指示が出されると、上記選択された演算項目について、上記メモリ上の所定の測定データ位置から上記リアルタイム演算を再開することを特徴とする実時間波形記録計。
【請求項４】
上記制御手段は、上記リアルタイム演算を一旦中断した際、それまでの演算結果をクリアすることを特徴とする請求項３に記載の実時間波形記録計。
【請求項５】
上記操作部にて、上記リアルタイム演算が再開される上記測定データ位置を上記演算中断時点，上記演算再開時点もしくは演算中断前の測定開始時点のいずれかから選択できることを特徴とする請求項３または４に記載の実時間波形記録計。
【請求項６】
上記演算項目が、平均値，ピーク値，最大値，最小値，最大値の時間および最小値の時間の中から選択されることを特徴とする請求項３ないし５のいずれか１項に記載の実時間波形記録計。
【発明の詳細な説明】
【技術分野】
【０００１】
本発明は、実時間波形記録計に関し、さらに詳しく言えば、リアルタイム演算処理中においても、測定自体を終了させることなく、演算項目等を任意かつ容易に変更できるようにした実時間波形記録計に関するものである。
【背景技術】
【０００２】
実時間波形記録計では、被測定物より測定された電流，電圧等の被測定信号を入力部でＡ／Ｄ変換し、その測定データをメモリに取り込みながら、測定開始前に設定された演算項目（例えば、平均値演算やピーク値演算等）についてリアルタイム演算を行って、その演算結果を被測定信号の実時間波形とともに、液晶表示パネル等からなる表示画面に表示するようにしている（例えば、特許文献１参照）。
【０００３】
これによれば、刻々と変化する被測定信号のリアルタイム波形と、その演算結果により波形がもつ特有な現象等を的確に把握することができる。
【先行技術文献】
【特許文献】
【０００４】
【特許文献１】特開平８−１４６０４５号公報
【発明の概要】
【発明が解決しようとする課題】
【０００５】
しかしながら、上記特許文献１に記載された発明を含む従来技術では、測定開始前に設定した演算項目や測定条件等を、一旦測定を開始した後においては、容易に変更することができない、という問題がある。
【０００６】
すなわち、測定中のリアルタイム演算は、測定を開始してから今までの測定したデータの範囲内で行われるが、測定中に、今までの演算結果はクリアし、それ以降のデータについて新たにリアルタイム演算を行うことができない。
【０００７】
同様に、測定中において、今までの演算結果はクリアし、演算の種類（演算項目）を変更し、それ以降のデータについて変更後の演算を行うこともできない。
【０００８】
したがって、本発明の課題は、測定中においても、リアルタイム演算の開始時期や演算項目等を任意かつ容易に変更できるようにした実時間波形記録計を提供することにある。
【課題を解決するための手段】
【０００９】
上記課題を解決するため、本願の第１発明は、被測定信号が入力されるＡ／Ｄ変換器を有する入力部と、上記入力部でＡ／Ｄ変換された上記被測定信号の測定データが記憶されるメモリと、表示画面を有する表示手段と、上記メモリに対する上記測定データの書き込み／読み出しおよび上記表示手段を制御する演算機能を有する制御手段と、上記制御手段に所定の指示を与える操作部とを備え、上記制御手段は、上記操作部により指示された所定の演算項目について上記測定データを順次リアルタイム演算しながら、その演算値を上記被測定信号の波形とともに上記表示画面に表示する実時間波形記録計において、上記制御手段は、上記測定データのリアルタイム演算中に上記操作部より演算中断の指示が出されると、上記リアルタイム演算を中断してそれまでの演算結果をクリアし、上記操作部より演算再開の指示が出されると、上記メモリ上の所定の測定データ位置から上記リアルタイム演算を再開することを特徴としている。
【００１０】
本願の第１発明の好ましい態様によれば、上記操作部にて、上記リアルタイム演算が再開される上記測定データ位置を上記演算中断時点もしくは上記演算再開時点のいずれかから選択することができる。
【００１１】
また、上記課題を解決するため、本願の第２発明は、被測定信号が入力されるＡ／Ｄ変換器を有する入力部と、上記入力部でＡ／Ｄ変換された上記被測定信号の測定データが記憶されるメモリと、表示画面を有する表示手段と、上記メモリに対する上記測定データの書き込み／読み出しおよび上記表示手段を制御する演算機能を有する制御手段と、上記制御手段に所定の指示を与える操作部とを備え、上記制御手段は、上記操作部により指示された所定の演算項目について上記測定データを順次リアルタイム演算しながら、その演算値を上記被測定信号の波形とともに上記表示画面に表示する実時間波形記録計において、上記制御手段は、上記測定データのリアルタイム演算中に上記操作部より演算中断の指示が出されると、上記リアルタイム演算を中断して上記表示画面の一部分に演算項目選択メニューを表示し、上記操作部により上記演算項目選択メニューの中から所定の演算項目が選択されたのち演算再開の指示が出されると、上記選択された演算項目について、上記メモリ上の所定の測定データ位置から上記リアルタイム演算を再開することを特徴としてる。
【００１２】
本願の第２発明において、上記制御手段は、上記リアルタイム演算を一旦中断した際、それまでの演算結果をクリアすることが好ましい。
【００１３】
本願の第２発明の好ましい態様によれば、上記操作部にて、上記リアルタイム演算が再開される上記測定データ位置を上記演算中断時点，上記演算再開時点もしくは演算中断前の測定開始時点のいずれかから選択することができる。
【００１４】
また、上記演算項目が、平均値，ピーク値，最大値，最小値，最大値の時間および最小値の時間の中から選択されることが好ましい。
【発明の効果】
【００１５】
本願の第１発明によれば、リアルタイム演算を中断させる「演算中断」機能と、リアルタイム演算を再開させる「演算再開」機能とを有しているため、測定中に任意の時点でリアルタイム演算を中断させてそれまでの演算結果をクリアし、その後に、好ましくは演算中断時点もしくは演算再開時点のいずれかから、リアルタイム演算を再開させることができる。
【００１６】
また、本願の第２発明によれば、リアルタイム演算を中断させる「演算中断」機能，リアルタイム演算を再開させる「演算再開」機能および「演算項目選択」機能を有しているため、測定中に任意の時点でリアルタイム演算を中断させて、「演算項目選択」機能より演算項目を変更したのち、好ましくは演算中断時点，演算再開時点もしくは演算中断前の測定開始時点のいずれかから、リアルタイム演算を再開させることができる。
【図面の簡単な説明】
【００１７】
【図１】本発明の実施形態に係る実時間波形記録計の基本的な構成を示すブロック図。
【図２】演算中断前の表示形態を示す表示画面図。
【図３】演算中断時の表示形態を示す表示画面図。
【図４】演算再開時の表示形態を示す表示画面図。
【発明を実施するための形態】
【００１８】
次に、図１ないし４により、本発明の実施形態を説明するが、本発明はこれに限定されるものではない。
【００１９】
図１に示すように、この実施形態に係る実時間波形記録計は、基本的な構成として、入力部１０，制御部２０，記憶部３０，操作部４０，表示部５０および記録部６０を備えている。
【００２０】
入力部１０はＡ／Ｄ変換器を有し、図示しない被測定物からのアナログ被測定信号をデジタルの測定データにＡ／Ｄ変換する。
【００２１】
制御部２０は、ＣＰＵやマイクロコンピュータ等から構成され、入力部１０にてＡ／Ｄ変換された測定データの記憶部３０への書き込み／読み出しや、表示部５０の表示形態等を制御する。
【００２２】
記憶部３０には、ＲＡＭ（Ｒａｄｏｍ  Ａｃｃｅｓｓ  ｍｅｍｏｒｙ）３１とＲＯＭ（Ｒｅａｄ  Ｏｎｌｙ  Ｍｅｍｏｒｙ）３２とが含まれている。ＲＡＭ３１には測定データが逐次書き込まれ、ＲＯＭ３２には制御部２０の動作プログラム等が格納されている。以下の説明において、ＲＡＭ３１をメモリということがある。
【００２３】
操作部４０には、キーボードやマウス等が用いられてよい。表示部５０は、液晶表示パネルやプラズマディスプレイ等からなる表示画面５０ａ（図２ないし図４参照）を備えている。記録部６０には、記録紙に測定波形や測定データ等を印字するプリンタが用いられてよい。
【００２４】
図２を参照して、表示画面５０ａには、波形表示部５１，演算値（演算結果）を表示する演算値表示部５２，測定開始時刻表示部５３，スクロールバー表示部５４，サンプリング間隔表示部５５ａおよび時間軸目盛の単位時間表示部５５ｂが設けられているが、本発明によると、このほかにリアルタイム演算を中断させる演算中断指示部５６ａと、リアルタイム演算を再開させる演算再開指示部５６ｂとが設けられている。
【００２５】
次に、制御部２０の動作の一例について説明する。なお、信号入力系はＣＨ１，ＣＨ２の２チャンネルであり、測定開始に先立って、サンプリング間隔が１０ｍｓ，波形表示部５１の時間軸目盛（１ＤＩＶ．）の単位時間が１００ｍｓに設定され、また、演算項目に「平均値」演算が選択されているものとする。
【００２６】
操作部４０から測定開始信号が出力されると、制御部２０は、入力部１０にてＡ／Ｄ変換されたチャンネルＣＨ１，ＣＨ２の各測定データをメモリ３１に順次書き込みながら、各チャンネルＣＨ１，ＣＨ２の実時間波形（リアルタイム波形）を例えば異なる線種や色分けして波形表示部５１に表示する。
【００２７】
また、測定開始時刻表示部５３に測定開始時刻（この例では、２００９年７月１０日１１時４１分２７秒）を表示するとともに、スクロールバー表示部５４内に、現在表示されている実時間波形のメモリ３１のメモリ領域に対する位置を示すスクロールマークＭを表示する。
【００２８】
また、各チャンネルＣＨ１，ＣＨ２のメモリ３１に書き込まれている測定開始時の先頭測定データから現時点までの測定データについて、それらの各平均値をリアルタイムに演算し、その演算値を演算値表示部５２に表示する。
【００２９】
このようにして測定が行われている状態において、操作部４０の例えばマウス操作により演算中断指示部５６ａが選択されると、制御部２０は、リアルタイム演算を中断し、図３に示すように、演算中断指示部５６ａをハイライト処理し、表示画面５０ａの所定部位に演算項目選択メニュー５７と、演算再開時位置選択メニュー５８とを表示する。
【００３０】
この実施形態において、演算項目選択メニュー５７には、「演算ＯＦＦ」，「平均値」，「ピーク値」，「最大値」，「最小値」，「最大値の時間」および「最小値の時間」の７項目が含まれている。
【００３１】
また、演算再開時位置選択メニュー５８には、演算再開時位置を「再開時位置」とする第１選択項目５８ａ，「中断時位置」とする第２選択項目５８ｂ，「測定先頭位置」とする第３選択項目５８ｃの３項目が含まれている。
【００３２】
演算中断時にもメモリ３１には測定データが順次書き込まれており、「再開時位置」は、後述するように、演算再開指示部５６ｂが選択された時点でメモリ３１に書き込まれた測定データの位置である。
【００３３】
また、「中断時位置」は、上記のように、演算中断指示部５６ａが選択された時点でメモリ３１に書き込まれた測定データの位置であり、「測定先頭位置」は測定開始時点でメモリ３１に書き込まれた先頭測定データの位置である。
【００３４】
ここで、操作部４０の例えばマウス操作により、演算項目選択メニュー５７から例えば「最大値」演算が選択され、演算再開時位置選択メニュー５８から例えば「再開時位置」が選択されたのち、演算再開指示部５６ｂが選択されたとする。
【００３５】
そうすると、制御部２０は、図４に示すように、演算再開指示部５６ｂをハイライト処理し、演算再開指示部５６ｂが選択された時点の測定データからそれ以降の測定データについて「最大値」演算をリアルタイムで実行し、その演算値を演算値表示部５２に表示する。また、測定開始時刻表示部５３に演算再開時の時刻（この例では、２００９年７月１０日１２時４９分１６秒）を表示する。
【００３６】
なお、演算再開時位置選択メニュー５８で第３選択項目５８ｃの「測定先頭位置」が選択された場合には、測定開始時点の測定データから現時点までの測定データについて「最大値」演算をリアルタイムで実行することなる。
【００３７】
上記実施形態では、チャンネルＣＨ１，ＣＨ２の演算項目がともに「平均値」演算から「最大値」演算に変更されているが、例えばチャンネル選択メニューを表示させて、一方のチャンネルのみ演算項目を変更させることもできる。
【００３８】
また、一方のチャンネルについては演算項目を「平均値」演算から例えば「ピーク値」演算に変更し、他方のチャンネルについては演算項目を「平均値」演算から例えば「最小値」演算に変更することもできる。
【００３９】
また、演算再開時位置選択メニュー５８の第３選択項目５８ｃの「測定先頭位置」について、幾度かにわたって演算中断指示部５６ａが選択された場合には、今回の演算中断の前に行われた前回演算中断時点でメモリ３１に書き込まれた測定データの位置を「測定先頭位置」とすることもできる。
【００４０】
例えば、今回の演算中断が３回目であるとすると、その一つ前の２回目に行われた演算中断時点における測定データの位置を「測定先頭位置」とすることもできる。また、今回の演算中断が４回目であるとすると、その一つ前の３回目もしくは二つ前に行われた２回目の演算中断時点における測定データの位置を「測定先頭位置」とすることもできる。
【００４１】
また、別の態様として、測定開始前に設定した演算項目を変更する必要がない場合には、演算中断指示部５６ａにより演算中断後、演算項目選択メニュー５７の表示を省略し、演算再開時位置選択メニュー５８のみを表示させる。
【００４２】
そして、演算再開時位置選択メニュー５８から「再開時位置」もしくは「中断時位置」のいずれかを選択したのち、演算再開指示部５６ｂを選択することにより、「再開時位置」もしくは「中断時位置」以降の測定データについてリアルタイム演算が再開される。
【００４３】
なお、上記実施形態および上記別の態様において、演算中断指示部５６ａにより演算を中断させたとき、それまでの演算結果がクリアされること好ましい。
【００４４】
以上説明したように、本発明によれば、リアルタイムの演算開始時点を測定開始時以外の任意の時点に設定することができ、その時点をスタート位置として被測定信号を所望とする演算項目についてリアルタイム演算することができる。
【符号の説明】
【００４５】
１０  入力部
２０  制御部
３０  記憶部
３１  ＲＡＭ
３２  ＲＯＭ
４０  操作部
５０  表示部
５０ａ  表示画面
５１  波形表示部
５２  演算値表示部
５３  測定開始時刻表示部
５４  スクロールバー表示部
５６ａ  演算中断指示部
５６ｂ  演算再開指示部
５７  演算項目選択メニュー
５８  演算再開時位置選択メニュー
【図１】
2011112476.tif 000003
【図２】
2011112476.tif 000004
【図３】
2011112476.tif 000005
【図４】
2011112476.tif 000006